(57)【要約】      （修正有）【課題】移動局が、ローミングしている場合であっても、接続遅延を招くことなく、適切なＡＶ通信の発信ドメインを選択する。【解決手段】移動通信方法において、ＬＴＥ方式のネットワーク内の移動管理ノードＭＭＥが、移動局ＵＥに対して、ＬＴＥ方式のネットワークにおけるＡＶ通信の提供能力を示すＡＶ通信提供能力情報を含む「ＡＴＴＡＣＨ  ＡＣＣＥＰＴ」を送信する工程と、移動局ＵＥが、かかるＡＶ通信提供能力情報に基づいて、ＩＭＳを介してＡＶ通信を行うか、或いは、回線交換通信によるＡＶ通信を行うかについて決定する工程とを有する。【選択図】図４
2013042346.tif 000002
【特許請求の範囲】
【請求項１】
サービス制御ネットワークに接続されている第１通信方式のネットワーク及び回線交換通信をサポートしている第２通信方式のネットワークを具備する移動通信システムにおける移動通信方法であって、
前記第１通信方式のネットワーク内の移動管理ノードが、移動局に対して、該第１通信方式のネットワークにおけるＡＶ通信の提供能力を示すＡＶ通信提供能力情報を含むアタッチ応答信号を送信する工程と、
前記移動局が、前記ＡＶ通信提供能力情報に基づいて、前記サービス制御ネットワークを介してＡＶ通信を行うか、或いは、回線交換通信によるＡＶ通信を行うかについて決定する工程とを有することを特徴とする移動通信方法。
【請求項２】
サービス制御ネットワークに接続されている第１通信方式のネットワーク及び回線交換通信をサポートしている第２通信方式のネットワークを具備する移動通信システムにおける該第１通信方式のネットワーク内の移動管理ノードであって、
移動局に対して、前記第１通信方式のネットワークにおけるＡＶ通信の提供能力を示すＡＶ通信提供能力情報を含むアタッチ応答信号を送信するように構成されている送信部を具備することを特徴とする移動管理ノード。
【発明の詳細な説明】
【技術分野】
【０００１】
本発明は、移動通信方法及び移動管理ノードに関する。
【背景技術】
【０００２】
３ＧＰＰで規定されているＬＴＥ（Ｌｏｎｇ  Ｔｅｒｍ  Ｅｖｏｌｕｔｉｏｎ）方式では、ＰＳ（Ｐａｃｋｅｔ  Ｓｗｉｔｃｈｉｎｇ、パケット交換）ドメインにおいて、移動局ＵＥに対して、ＩＭＳ（ＩＰ  Ｍｕｌｔｉｍｅｄｉａ  Ｓｕｂｓｙｓｔｅｍ、サービス制御ネットワークを介して、ＡＶ（Ａｕｄｉｏ  ＆  Ｖｉｄｅｏ）通信（ビデオ電話）を提供する方法が規定されている。
【０００３】
また、ＬＴＥ方式では、ＣＳＦＢ（ＣＳ  Ｆａｌｌｂａｃｋ）を用いて、移動局ＵＥに対して、ＣＳ（Ｃｉｒｃｕｉｔ  Ｓｗｉｔｃｈｉｎｇ、回線交換）ドメインにおいて、ＡＶ通信（ＴＶ電話）を提供する方法が規定されている（例えば、非特許文献１参照）。
【０００４】
ここで、ＬＴＥ方式の移動通信システムにおいて、ＰＳドメイン及びＣＳドメインの両方で、ＡＶ通信を提供することができる場合、ＡＶ通信の発信時に、移動局ＵＥの設定やネットワーク構成を勘案して、発信ドメインを選択することが必要であるが、現時点の３ＧＰＰの標準仕様では、発信ドメインを選択する方法について規定されていない。
【０００５】
かかる状況を考慮して、ＡＶ通信の発信ドメインを選択する方法として、以下の２つの方法が考えられている。
【０００６】
第１の方法として、「ＩＭＳ  ＭＯ（Ｍａｎａｇｅｍｅｎｔ  Ｏｂｊｅｃｔ）」を用いて、移動局ＵＥに対して、ＩＭＳを介したＡＶ通信の提供可否を示すＡＶ通信提供能力情報を伝える方法が想定される。以下、図５を参照して、かかる方法について簡単に説明する。
【０００７】
図５に示すように、ステップＳ２００１において、ＯＭＡ-ＤＭ（Ｄｅｖｉｃｅ  Ｍａｎａｇｅｍｅｎｔ）サーバが、移動局ＵＥに対して、「ＩＭＳ  ＭＯ」を用いて、ＩＭＳを介したＡＶ通信の提供可否を示すＡＶ通信提供能力情報を通知する。
【０００８】
ステップＳ２００２において、移動局ＵＥは、かかるＡＶ通信提供能力情報に基づいて、ＩＭＳを介してＡＶ通信の発信を行うべきか、或いは、ＣＳドメインにおいてＡＶ通信の発信を行うべきかについて示す設定情報を書き換える。
【０００９】
ステップＳ２００３において、移動局ＵＥにおいて、ＡＶ通信の発信ボタンが押下された場合で、かつ、設定情報として、ＣＳドメインにおいてＡＶ通信の発信を行うべきであると設定されている場合、移動局ＵＥは、ステップＳ２００４ａにおいて、移動管理ノードＭＭＥ（Ｍｏｂｉｌｉｔｙ  Ｍａｎａｇｅｍｅｎｔ  Ｅｎｔｉｔｙ）に対して、ＣＳＦＢの開始要求信号を送信し、ステップＳ２００４ｂにおいて、ＣＳＦＢ手順が行われて、ＣＳドメインでのＡＶ通信が開始される。
【００１０】
一方、ステップＳ２００３において、移動局ＵＥにおいて、ＡＶ通信の発信ボタンが押下された場合で、かつ、設定情報として、ＩＭＳを介してＡＶ通信の発信を行うべきであると設定されている場合、移動局ＵＥは、ステップＳ２００５ａにおいて、ＩＭＳに対して、ＩＭＳを介したＡＶ通信の発信要求信号を送信し、ステップＳ２００５ｂにおいて、ＩＭＳでのＡＶ通信開始手順が行われて、ＩＭＳを介したＡＶ通信が開始される。
【００１１】
第２の方法として、移動局ＵＥが、一度、ＩＭＳを介したＡＶ通信の発信をトライする方法が考えられている。以下、図６を参照して、かかる方法について簡単に説明する。
【００１２】
図６に示すように、ステップＳ３００１において、移動局ＵＥにおいて、ＡＶ通信の発信ボタンが押下された場合、ステップＳ３００２において、移動局ＵＥは、ＩＭＳに対して、ＩＭＳを介したＡＶ通信の発信要求信号を送信する。
【００１３】
ステップＳ３００３において、ＩＭＳは、ＩＭＳを介したＡＶ通信を提供することができるか否かについて判定する。
【００１４】
ＩＭＳは、ＩＭＳを介したＡＶ通信を提供することができると判定した場合、ステップＳ３００４において、ＩＭＳでのＡＶ通信開始手順が行われて、ＩＭＳを介したＡＶ通信が開始される。
【００１５】
一方、ＩＭＳは、ＩＭＳを介したＡＶ通信を提供することができると判定した場合、ステップＳ３００５ａにおいて、移動局ＵＥに対して、ＡＶ通信を提供することができない旨を示す理由を含む「ＲＥＪＥＣＴ」を送信する。
【００１６】
ステップＳ３００５ｂにおいて、移動局ＵＥは、かかる「ＲＥＪＥＣＴ」に応じて、移動管理ノードＭＭＥに対して、ＣＳＦＢの開始要求信号を送信し、ステップＳ３００５ｃにおいて、ＣＳＦＢ手順が行われて、ＣＳドメインでのＡＶ通信が開始される。
【先行技術文献】
【非特許文献】
【００１７】
【非特許文献１】３ＧＰＰ  ＴＳ２３.２７２
【非特許文献２】３ＧＰＰ  ＴＳ２４.１６７
【発明の概要】
【発明が解決しようとする課題】
【００１８】
しかしながら、上述の第１の方法において用いられるＯＭＡ-ＤＭサーバは、移動局ＵＥがローミングを行うこと等を想定して設けられたものではない。すなわち、ＯＭＡ-ＤＭサーバによって送信される「ＩＭＳ  ＭＯ」は、移動局ＵＥのホームネットワークにおける能力を通知するために設けられたものである。
【００１９】
したがって、ＯＭＡ-ＤＭサーバは、「ＩＭＳ  ＭＯ」を用いて、移動局ＵＥのローミング先のネットワークにおいてＩＭＳを介したＡＶ通信を提供することができるか否かについて示すＡＶ通信提供能力情報を通知することができないという問題点があった。
【００２０】
また、上述の第２の方法では、移動局ＵＥは、在圏するＬＴＥ方式のネットワークにおいて、ＩＭＳを介したＡＶ通信を提供することができない場合であっても、ＩＭＳに対して、ＩＭＳを介したＡＶ通信の発信要求信号を送信するように構成されているため、無駄な発信要求信号が増加し、発信処理時における接続遅延を招いてしまうという問題点があった。
【００２１】
そこで、本発明は、上述の課題に鑑みてなされたものであり、移動局ＵＥが、ローミングしている場合であっても、接続遅延を招くことなく、適切なＡＶ通信の発信ドメインを選択することができる移動通信方法及び移動管理ノードを提供することを目的とする。
【課題を解決するための手段】
【００２２】
本発明の第１の特徴は、サービス制御ネットワーク（ＩＭＳ）に接続されている第１通信方式のネットワーク及び回線交換通信をサポートしている第２通信方式のネットワークを具備する移動通信システムにおける移動通信方法であって、前記第１通信方式のネットワーク内の移動管理ノードが、移動局に対して、該第１通信方式のネットワークにおけるＡＶ通信の提供能力を示すＡＶ通信提供能力情報を含むアタッチ応答信号を送信する工程と、前記移動局が、前記ＡＶ通信提供能力情報に基づいて、前記サービス制御ネットワーク（ＩＭＳ）を介してＡＶ通信を行うか、或いは、回線交換通信によるＡＶ通信を行うかについて決定する工程とを有することを要旨とする。
【００２３】
本発明の第２の特徴は、サービス制御ネットワーク（ＩＭＳ）に接続されている第１通信方式のネットワーク及び回線交換通信をサポートしている第２通信方式のネットワークを具備する移動通信システムにおける該第１通信方式のネットワーク内の移動管理ノードであって、移動局に対して、前記第１通信方式のネットワークにおけるＡＶ通信の提供能力を示すＡＶ通信提供能力情報を含むアタッチ応答信号を送信するように構成されている送信部を具備することを要旨とする。
【発明の効果】
【００２４】
以上説明したように、本発明によれば、移動局ＵＥが、ローミングしている場合であっても、接続遅延を招くことなく、適切なＡＶ通信の発信ドメインを選択することができる移動通信方法及び移動管理ノードを提供することができる。
【図面の簡単な説明】
【００２５】
【図１】本発明の第１の実施形態に係る移動通信システムの全体構成図である。
【図２】本発明の第１の実施形態に係る移動管理ノードの機能ブロック図である。
【図３】本発明の第１の実施形態に係る移動管理ノードによって送信される「Ａｔｔａｃｈ  Ａｃｃｅｐｔ」に含まれる情報要素「ＥＰＳ  ｎｅｔｗｏｒｋ  ｆｅａｔｕｒｅ  ｓｕｐｐｏｒｔ」のフォーマットの一例を示す図である。
【図４】本発明の第１の実施形態に係る移動通信システムの動作を示すシーケンス図である。
【図５】従来の移動通信システムの動作を示すシーケンス図である。
【図６】従来の移動通信システムの動作を示すシーケンス図である。
【発明を実施するための形態】
【００２６】
（本発明の第１の実施形態に係る移動通信システム）
図１乃至図４を参照して、本発明の第１の実施形態に係る移動通信システムについて説明する。
【００２７】
図１に示すように、本実施形態に係る移動通信システムは、ＩＭＳと、ＬＴＥ方式のネットワークと、３Ｇ方式のネットワークとを具備している。
【００２８】
ここで、ＬＴＥ方式のネットワークには、移動管理ノードＭＭＥを含む移動伝達ネットワークと、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とが配置されている。
【００２９】
また、３Ｇ方式のネットワークには、回線交換機ＭＳＣ（Ｍｏｂｉｌｅ-ｓｅｒｖｉｃｅ  Ｓｗｉｔｃｈｉｎｇ  Ｃｅｎｔｅｒ）を含むコアネットワークと、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  ＥＤＧＥ  Ｒａｄｉｏ  Ａｃｃｅｓｓ  Ｎｅｔｗｏｒｋ）とが配置されている。
【００３０】
Ｅ-ＵＴＲＡＮには、ｅＮｏｄｅＢ（不図示）が配置されており、ＵＴＲＡＮ/ＧＥＲＡＮには、ＮｏｄｅＢ/ＢＳＳ（不図示）やＲＮＣ（Ｒａｄｉｏ  Ｎｅｔｗｏｒｋ  Ｃｏｎｔｒｏｌｌｅｒ）（不図示）が配置されている。
【００３１】
ＩＭＳには、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）等のＩＭＳ装置が配置されている。
【００３２】
図２に示すように、移動管理ノードＭＭＥは、受信部１１と、送信部１２とを具備している。
【００３３】
受信部１１は、ＩＭＳやＥ-ＵＴＲＡＮや移動局ＵＥから、各種信号を受信するように構成されている。
【００３４】
例えば、受信部１１は、移動局ＵＥから、「Ａｔｔａｃｈ  Ｒｅｑｕｅｓｔ（アタッチ要求信号）」を受信するように構成されている。
【００３５】
なお、受信部１１は、ＩＭＳから、ＩＭＳを介したＡＶ通信を提供することができるかについて示すＡＶ通信提供能力情報を受診するように構成されていてもよい。
【００３６】
送信部１２は、移動局ＵＥに対して、各種信号を送信するように構成されている。例えば、送信部１２は、移動局ＵＥに対して、ＬＴＥ方式のネットワークにおけるＡＶ通信の提供能力を示すＡＶ通信提供能力情報を含む「Ａｔｔａｃｈ  Ａｃｃｅｐｔ」を送信するように構成されている。
【００３７】
具体的には、送信部１２は、図３に示すように、「Ａｔｔａｃｈ  Ａｃｃｅｐｔ」に設定する情報要素「ＥＰＳ  ｎｅｔｗｏｒｋ  ｆｅａｔｕｒｅ  ｓｕｐｐｏｒｔ」内の情報要素「Ｎｅｗ  ｂｉｔ」に、ＬＴＥ方式におけるネットワークにおけるＡＶ通信の提供能力を示すＡＶ通信提供能力情報を設定するように構成されていてもよい。
【００３８】
ここで、情報要素「Ｎｅｗ  ｂｉｔ」に設定されるＡＶ通信提供能力情報は、ＬＴＥ方式のネットワークにおいてＩＭＳを介したＡＶ通信を提供することができるか否かについて示すものであってもよい。
【００３９】
以下、図４を参照して、本実施形態に係る移動通信システムの動作について説明する。
【００４０】
図４に示すように、ステップＳ１００１において、移動局ＵＥの電源がＯＮにされると、ステップＳ１００２において、移動局ＵＥは、移動管理ノードＭＭＥに対して、「Ａｔｔａｃｈ  Ｒｅｑｕｅｓｔ」を送信する。
【００４１】
ここで、移動局ＵＥは、在圏するＴＡ（Ｔｒａｃｋｉｎｇ  Ａｒｅａ）が変更になった場合には、移動管理ノードＭＭＥに対して、「ＴＡ  Ｕｐｄａｔｅ」を送信する。
【００４２】
ステップＳ１００３において、移動管理ノードＭＭＥは、移動局ＵＥに対して、上述のＡＶ通信提供能力情報が設定された情報要素「ＥＰＳ  ｎｅｔｗｏｒｋ  ｆｅａｔｕｒｅ  ｓｕｐｐｏｒｔ」を含む「Ａｔｔａｃｈ  Ａｃｃｅｐｔ」を送信する。
【００４３】
ステップＳ１００４において、移動局ＵＥは、受信したＡＶ通信提供能力情報を記憶する。
【００４４】
ステップＳ１００５において、移動局ＵＥにおいて、ＡＶ通信の発信ボタンが押下された場合で、かつ、ＡＶ通信提供能力情報が、ＬＴＥ方式のネットワークにおいてＩＭＳを介したＡＶ通信を提供することができないことを示す場合には、移動局ＵＥは、ステップＳ１００６ａにおいて、移動管理ノードＭＭＥに対して、ＣＳＦＢの開始要求信号を送信し、ステップＳ１００６ｂにおいて、ＣＳＦＢ手順が行われて、ＣＳドメインでのＡＶ通信が開始される。
【００４５】
一方、ステップＳ１００５において、移動局ＵＥにおいて、ＡＶ通信の発信ボタンが押下された場合で、かつ、ＡＶ通信提供能力情報が、ＬＴＥ方式のネットワークにおいてＩＭＳを介したＡＶ通信を提供することができることを示す場合には、移動局ＵＥは、ステップＳ１００７ａにおいて、ＩＭＳに対して、ＩＭＳを介したＡＶ通信の発信要求信号を送信し、ステップＳ１００７ｂにおいて、ＩＭＳでのＡＶ通信開始手順が行われて、ＩＭＳを介したＡＶ通信が開始される。
【００４６】
本実施形態に係る移動通信システムによれば、ＯＭＡ-ＤＭサーバによって送信される「ＩＭＳ  ＭＯ」を用いることなく、移動管理ノードＭＭＥが、「Ａｔｔａｃｈ  Ａｃｃｅｐｔ」を用いて、移動局ＵＥに対して、ＬＴＥ方式のネットワークにおいてＩＭＳを介したＡＶ通信を提供することができるか否かについて示すＡＶ通信提供能力情報を通知するように構成されているため、移動局ＵＥは、ローミング中であっても、無駄な発信要求信号を送信することなく、ＡＶ通信の発信ドメインを適切に選択することができる。
【００４７】
また、本実施形態に係る移動通信システムによれば、移動局ＵＥが、Ａｔｔａｃｈ処理を行う際に、移動管理ノードＭＭＥが、確実に、移動局ＵＥに対して、ＡＶ通信提供能力情報を通知することができる。
【００４８】
さらに、本実施形態に係る移動通信システムによれば、移動局ＵＥが、Ａｔｔａｃｈ処理を行った際に、任意のタイミングで、ＡＶ通信の発信ドメインを適切に選択することができる。
【００４９】
以上に述べた本実施形態の特徴は、以下のように表現されていてもよい。
【００５０】
本実施形態の第１の特徴は、ＩＭＳ（サービス制御ネットワーク）に接続されているＬＴＥ方式（第１通信方式）のネットワーク及び回線交換通信をサポートしている３Ｇ方式（第２通信方式）のネットワークを具備する移動通信システムにおける移動通信方法であって、ＬＴＥ方式のネットワーク内の移動管理ノードＭＭＥが、移動局ＵＥに対して、ＬＴＥ方式のネットワークにおけるＡＶ通信の提供能力を示すＡＶ通信提供能力情報を含む「Ａｔｔａｃｈ  Ａｃｃｅｐｔ（アタッチ応答信号）」を送信する工程と、移動局ＵＥが、かかるＡＶ通信提供能力情報に基づいて、ＩＭＳを介してＡＶ通信を行うか、或いは、回線交換通信によるＡＶ通信を行うかについて決定する工程とを有することを要旨とする。
【００５１】
本実施形態の第２の特徴は、ＬＴＥ方式のネットワーク及び３Ｇ方式のネットワークを具備する移動通信システムにおける移動管理ノードＭＭＥであって、移動局ＵＥに対して、ＬＴＥ方式のネットワークにおけるＡＶ通信の提供能力を示すＡＶ通信提供能力情報を含む「Ａｔｔａｃｈ  Ａｃｃｅｐｔ」を送信するように構成されている送信部１２を具備することを要旨とする。
【００５２】
なお、上述の移動管理ノードＭＭＥや移動局ＵＥの動作は、ハードウェアによって実施されてもよいし、プロセッサによって実行されるソフトウェアモジュールによって実施されてもよいし、両者の組み合わせによって実施されてもよい。
【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや移動局ＵＥ内に設けられていてもよい。また、かかる記憶媒体及びプロセッサは、ディスクリートコンポーネントとして移動管理ノードＭＭＥや移動局ＵＥ内に設けられていてもよい。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５６】
ＵＥ…移動局
ＭＳＣ…回線交換機
ＭＭＥ…移動管理ノード
１１…受信部
１２…送信部
【図１】
2013042346.tif 000003
【図２】
2013042346.tif 000004
【図３】
2013042346.tif 000005
【図４】
2013042346.tif 000006
【図５】
2013042346.tif 000007
【図６】
2013042346.tif 000008